(57)【要約】【課題】画面上のリスト移動のための装置および方法を提供する。【解決手段】画面上のリスト移動のための装置は、デジタル機器画面の中心に対するイメージ中心の移動に応じて、イメージの進行方向に加速度を与える中心向け加速度制御モジュールと、前記与えられた加速度に対応する抵抗を計算して、前記イメージに与える運動抵抗制御モジュールと、入力された現在のチルト角、前記加速度値、および前記抵抗値のうち少なくとも１つ以上の値に基づき、画面に表示される前記イメージの移動速度および前記イメージ中心の移動位置を計算して更新する画面移動パラメータ制御モジュールとを含む。【選択図】図４
2008097615.tif 000002
【特許請求の範囲】
【請求項１】
デジタル機器の画面の中心に対するイメージ中心の移動に応じて、イメージの進行方向に加速度を与える中心向け加速度制御モジュールと、
前記与えられた加速度に対応する抵抗を計算して前記イメージに与える運動抵抗制御モジュールと、
入力された現在のチルト角、前記加速度値、および前記抵抗値のうち少なくとも１つ以上の値に基づき、画面に表示される前記イメージの移動速度および前記イメージ中心の移動位置を計算して更新する画面移動パラメータ制御モジュールとを含む、画面上のリスト移動のための装置。
【請求項２】
前記計算したイメージ中心の移動位置が所定領域内に存在するか否かを判断して、前記イメージの移動を制御する画面座標制御モジュールをさらに含む、請求項１に記載の画面上のリスト移動のための装置。
【請求項３】
前記現在のチルト角を計算するチルト角計算モジュールをさらに含む、請求項１に記載の画面上のリスト移動のための装置。
【請求項４】
前記中心向け加速度制御モジュールは、前記イメージの中心が前記画面の中心に移動する時、前記イメージの進行方向と同一の加速度を前記イメージに与える、請求項１に記載の画面上のリスト移動のための装置。
【請求項５】
前記中心向け加速度制御モジュールは、前記イメージの中心が前記画面の中心から外れる場合、前記イメージの進行方向の逆方向の加速度を前記イメージに与える、請求項１に記載の画面上のリスト移動のための装置。
【請求項６】
前記運動抵抗制御モジュールは、前記イメージの中心が前記画面の中心から外れる場合、前記イメージの中心が前記画面の中心に移動する場合よりさらに大きい抵抗値を与える、請求項１に記載の画面上のリスト移動のための装置。
【請求項７】
前記画面座標制御モジュールは、前記計算したイメージ中心の移動位置が所定領域内に存在する場合、前記イメージの中心を前記画面の中心に固定する、請求項２に記載の画面上のリスト移動のための装置。
【請求項８】
前記画面座標制御モジュールは、前記計算したイメージ中心の移動位置が所定領域内に存在しない場合、リアルタイムで前記イメージの位置を画面に出力する、請求項２に記載の画面上のリスト移動のための装置。
【請求項９】
前記画面座標制御モジュールは、前記イメージ中心の移動に応じてユーザにフィードバックする、請求項２に記載の画面上のリスト移動のための装置。
【請求項１０】
入力されたチルト角による速度を計算し、イメージに付与するチルト基盤速度制御モジュールと、
前記イメージの中心の位置に応じてデジタル機器画面の中心に対する中心収斂速度を計算し、前記イメージに付与する中心収斂速度制御モジュールと、
前記イメージの中心の位置に応じて許容される最大移動速度を計算し、前記イメージに付与する画面移動速度制御モジュール、および
前記チルト基盤速度、前記中心収斂速度および前記イメージの中心位置値に基づき画面に見せる前記イメージの移動速度および前記イメージ中心の移動位置を計算し更新する画面移動パラメータ制御モジュールを含む、画面上のリスト移動のための装置。
【請求項１１】
前記計算されたイメージ中心の移動位置が所定領域内に存在するのか判断し、前記イメージの移動を制御する画面座標制御モジュールをさらに含む、請求項１０に記載の画面上のリスト移動のための装置。
【請求項１２】
前記現在チルト角を計算するチルト角計算モジュールをさらに含む、請求項１０に記載の画面上のリスト移動のための装置。
【請求項１３】
前記中心収斂速度制御モジュールは、前記イメージの中心が前記画面の中心から外れる場合、前記イメージの中心が前記画面の中心に移動する場合より相対的にさらに大きい中心収斂速度を付与する、請求項１０に記載の画面上のリスト移動のための装置。
【請求項１４】
前記中心収斂速度制御モジュールは、前記イメージの中心が前記画面の中心に移動する時、前記イメージの進行方向と同一な速度を前記イメージに付与する、請求項１０に記載の画面上のリスト移動のための装置。
【請求項１５】
前記中心収斂速度制御モジュールは、前記イメージの中心が前記画面の中心から外れる場合、前記イメージの進行方向と反対方向の速度を前記イメージに付与する、請求項１０に記載の画面上のリスト移動のための装置。
【請求項１６】
前記画面移動速度制御モジュールは、前記イメージの移動速度が所定範囲内に存在するよう制御する、請求項１０に記載の画面上のリスト移動のための装置。
【請求項１７】
前記画面座標制御モジュールは、前記計算されたイメージ中心の移動位置が所定領域内に存在する場合、前記イメージの中心を前記画面の中心に固定する、請求項１１に記載の画面上のリスト移動のための装置。
【請求項１８】
前記画面座標制御モジュールは、前記計算されたイメージ中心の移動位置が所定領域内に存在しない場合、リアルタイムで前記イメージの位置を画面に出力する、請求項１１に記載の画面上のリスト移動のための装置。
【請求項１９】
前記画面座標制御モジュールは、前記イメージ中心の移動に応じてユーザにフィードバックする、請求項１１に記載の画面上のリスト移動のための装置。
【請求項２０】
デジタル機器の画面の中心に対するイメージ中心の移動に応じて、イメージの進行方向に加速度を与える中心向け加速度制御ステップと、
前記与えられた加速度に対応する抵抗を計算して前記イメージに与える運動抵抗制御ステップと、
入力された現在のチルト角、前記加速度値、および前記抵抗値のうち少なくとも１つ以上の値に基づき、画面に表示される前記イメージの移動速度および前記イメージ中心の移動位置を計算して更新する画面移動パラメータ制御ステップとを含む、画面上のリスト移動のための方法。
【請求項２１】
前記計算したイメージ中心の移動位置が所定領域内に存在するか否かを判断して、前記イメージの移動を制御する画面座標制御ステップをさらに含む、請求項２０に記載の画面上のリスト移動のための方法。
【請求項２２】
前記現在のチルト角を計算するチルト角計算ステップをさらに含む、請求項２０に記載の画面上のリスト移動のための方法。
【請求項２３】
前記中心向け加速度制御ステップは、前記イメージの中心が前記画面の中心に移動する時、前記イメージの進行方向と同一の加速度を前記イメージに与える、請求項２０に記載の画面上のリスト移動のための方法。
【請求項２４】
前記中心向け加速度制御ステップは、前記イメージの中心が前記画面の中心から外れる場合、前記イメージの進行方向の逆方向の加速度を前記イメージに与える、請求項２０に記載の画面上のリスト移動のための方法。
【請求項２５】
前記運動抵抗制御ステップは、前記イメージの中心が前記画面の中心から外れる場合、前記イメージの中心が前記画面の中心に移動する場合よりさらに大きい抵抗値を与える、請求項２０に記載の画面上のリスト移動のための方法。
【請求項２６】
前記画面座標制御ステップは、前記計算したイメージ中心の移動位置が所定領域内に存在する場合、前記イメージの中心を前記画面の中心に固定する、請求項２１に記載の画面上のリスト移動のための方法。
【請求項２７】
前記画面座標制御ステップは、前記計算したイメージ中心の移動位置が所定領域内に存在しない場合、リアルタイムで前記イメージの位置を画面に出力する、請求項２１に記載の画面上のリスト移動のための方法。
【請求項２８】
前記画面座標制御ステップは、前記イメージ中心の移動に応じてユーザにフィードバックする、請求項２１に記載の画面上のリスト移動のための方法。
【請求項２９】
入力されたチルト角による速度を計算しイメージに付与するチルト基盤速度制御ステップと、
前記速度により移動された前記イメージの中心位置に応じてデジタル機器画面の中心に対する中心収斂速度を計算し前記イメージに付与する中心収斂速度制御ステップと、
前記イメージの中心位置に応じて許容される最大移動速度を計算し、前記イメージに付与する画面移動速度制御ステップ、および
前記チルト基盤速度、前記中心収斂速度および前記イメージの中心位置に基づき画面に見える前記イメージの最大移動速度、ならびに前記イメージ中心の移動位置を計算し更新する画面移動パラメータ制御ステップを含む、画面上のリスト移動のための方法。
【請求項３０】
前記計算されたイメージ中心の移動位置が所定領域内に存在するのか判断し、前記イメージの移動を制御する画面座標制御モジュール４０５制御段階をさらに含む、請求項２９に記載の画面上のリスト移動のための方法。
【請求項３１】
前記現在チルト角を計算するチルト角計算段階をさらに含む、請求項２９に記載の画面上のリスト移動のための方法。
【請求項３２】
前記中心収斂速度制御段階は、前記イメージの中心が前記画面の中心から外れる場合、前記イメージの中心が前記画面の中心に移動する場合よりさらに大きな中心収斂速度を付与する、請求項２９に記載の画面上のリスト移動のための方法。
【請求項３３】
前記中心収斂速度制御段階は、前記イメージの中心が前記画面の中心に移動するとき、前記イメージの進行方向と同一な速度を前記イメージに付与する、請求項２９に記載の画面上のリスト移動のための方法。
【請求項３４】
前記中心収斂速度制御段階は、前記イメージの中心が前記画面の中心から外れる場合、前記イメージの進行方向と反対方向の速度を前記イメージに付与する、請求項２９に記載の画面上のリスト移動のための方法。
【請求項３５】
前記画面移動制御段階は、前記イメージの移動速度が所定範囲内に存在するように制御する、請求項２９に記載の画面上のリスト移動のための方法。
【請求項３６】
前記画面座標制御段階は、前記計算されたイメージ中心の移動位置が所定領域内に存在しない場合、前記イメージの中心を前記画面の中心に固定する、請求項３０に記載の画面上のリスト移動のための方法。
【請求項３７】
前記画面座標制御段階は、前記計算されたイメージの移動位置が所定領域内に存在しない場合、リアルタイムで前記イメージの位置を画面に出力する、請求項３０に記載の画面上のリスト移動のための方法。
【請求項３８】
前記画面座標制御段階は、前記イメージ中心の移動に応じてユーザにフィードバックする、請求項３０に記載の画面上のリスト移動のための方法。
【発明の詳細な説明】
【技術分野】
【０００１】
本発明は、画面上のリスト移動のための装置および方法に関し、より詳しくは、チルト基盤の携帯用デジタル機器でイメージを鑑賞する場合、現在イメージにて前または次のイメージを鑑賞するためにチルト動作を行う時に、リアルタイムで画面を更新してフィードバックすることにより、ユーザのチルト動作の程度を調節可能にする画面上のリスト移動のための装置および方法に関するものである。
【背景技術】
【０００２】
デジタルコンバーゼンスの影響によって、ＰＤＡ、携帯電話、ＭＰ３、デジタルカメラのような携帯用デジタル機器の機能が増大し、小型化によるボタン装着の制約により、ボタンではない携帯用デジタル機器の入力方法が要求されている。
【０００３】
そこで、特許文献１の「移動通信端末機のイメージの表示方法」においては、ボタンが必要ないチルト基盤の入力方法によって、端末機の状態または姿勢に応じて傾いた方向と角度を検出し、条件付き動的イメージを動かす表示方法を提示している。
【０００４】
チルトとは、ある物体を水平状態から傾ける動作を意味するものであり、上述した従来技術においてイメージを鑑賞する場合、イメージ移動のためにボタンを押す必要なく、チルト動作によってリアルタイムでリスト上のイメージの位置を変化させて、連続してイメージ鑑賞が可能である長所がある。
【０００５】
しかし、チルト動作によってイメージを移動する時、所望しないイメージに移動したり、移動して得られたイメージが何回も揺らぎ現象が生じたりする場合があり、移動中のイメージの一部分だけが表示されたりする問題点がある。
【０００６】
これは、ユーザに非常に微細なチルト動作が要求されることであり、それゆえユーザはチルト基盤のデジタル機器における操作の困難を感じるしかない。
【特許文献１】大韓民国公開特許第２００４−０９２２１７号公報
【発明の開示】
【発明が解決しようとする課題】
【０００７】
本発明は、画面上のリスト移動のための装置および方法によって、ユーザのチルト動作の程度を調節可能にして、イメージおよびテキスト文書のようなリストを鑑賞する時に便宜性を増大させることにその目的がある。
【０００８】
本発明の目的は、以上で言及した目的に制限されず、言及していないまた他の目的は下記記載によって当業者が明確に理解できるものである。
【課題を解決するための手段】
【０００９】
前記目的を達成するために、本発明の一態様に係る画面上のリスト移動のための装置は、デジタル機器の画面の中心に対するイメージ中心の移動に応じて、イメージの進行方向に加速度を与える中心向け加速度制御モジュールと、前記与えられた加速度に対応する抵抗を計算して前記イメージに与える運動抵抗制御モジュールと、入力された現在のチルト角、前記加速度値、および前記抵抗値のうち少なくとも１つ以上の値に基づき、画面に表示される前記イメージの移動速度および前記イメージ中心の移動位置を計算して更新する画面移動パラメータ制御モジュールとを含む、
前記目的を達成するための本発明の多の実施形態による画面上のリスト移動のための装置は入力されたチルト角に応じて速度を計算し、イメージに付与するチルト角基盤速度制御モジュール、前記イメージの中心位置によるデジタル機器画面の中心に対する中心収斂速度を計算し前記イメージに付与する中心収斂速度制御モジュール、前記イメージの中心位置に応じて最大移動速度を計算し、前記イメージに付与する画面移動速度モジュールおよび前記チルト基盤速度、前記中心収斂速度および前記最大移動速度値に基づき画面に見える前期イメージ移動速度および前記中心の移動位置を計算して更新する画面移動パラメータ制御モジュールを含む。
【００１０】
前記目的を達成するために、本発明の他の態様に係る画面上のリスト移動のための方法は、デジタル機器の画面の中心に対するイメージ中心の移動に応じて、イメージの進行方向に加速度を与える中心向け加速度制御ステップと、前記与えられた加速度に対応する抵抗を計算して前記イメージに与える運動抵抗制御ステップと、入力された現在のチルト角、前記加速度値、および前記抵抗値のうち少なくとも１つ以上の値に基づき、画面に表示される前記イメージの移動速度および前記イメージ中心の移動位置を計算して更新する画面移動パラメータ制御ステップとを含む。
【００１１】
前記目的を達成するための本発明の他の実施形態による画面上のリスト移動のための方法は、入力されたチルト各に応じて速度を計算しイメージに付与するチルト基盤速度制御ステップ、前記イメージの中心位置に応じてデジタル機器画面の中心に対する中心収斂速度を計算し、前記イメージに付与する中心収斂速度制御ステップ、前記イメージの中心位置に応じて最大移動速度を計算し、前記イメージに付与する画面速度制御ステップおよび入力された前記チルト基盤速度、前記中心収斂速度、前記最大移動速度値に基づき画面に見える前期イメージ移動速度および前記イメージ中心の移動位置を計算し更新する移動パラメータ制御ステップを含む。
【発明の効果】
【００１２】
本発明に係る画面上のリスト移動のための装置および方法によれば、次のような効果が１つもしくはそれ以上ある。
ユーザが次のイメージに移動する時、所望しないイメージに移動するオーバーシュートを防止する長所がある。
【００１３】
また、イメージを画面の中央に位置させるために機器を左右に傾ける必要なく、僅かに手が震えたとしても画面中のイメージが揺れない長所もある。
また、画面にイメージ全体が表示される時間が増えて、イメージ移動の時に生じる部分イメージ表示現象を防止する長所もある。
【００１４】
また、イメージが画面の中央に位置したりイメージが画面の中央から外れたりすれば、振動または効果音によってユーザにフィードバックして、ユーザがチルト動作を容易に調節できるようにする長所もある。
【発明を実施するための最良の形態】
【００１５】
その他、実施形態の具体的な事項は、詳細な説明および図面に含まれている。
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体に亘り、同一参照符号は同一構成要素を示す。
【００１６】
以下、本発明の実施形態に係る画面上のリスト移動のための装置および方法を説明するためのブロック図または処理フローチャートに対する図面を参考にして本発明について説明する。
【００１７】
この時、処理フローチャートの各ブロックとフローチャートの組合せは、コンピュータプログラムインストラクションによって行われることが理解できる。
【００１８】
これらコンピュータプログラムインストラクションは、汎用コンピュータ、特殊用コンピュータ、またはその他のプログラム可能なデータプロセシング装備のプロセッサに搭載することができるため、コンピュータまたはその他のプログラム可能なデータプロセシング装備のプロセッサを介して行われるそのインストラクションがフローチャートブロックで説明する機能を行う手段を生成するようになる。
【００１９】
これらコンピュータプログラムインストラクションは、特定方式で機能を具現するために、コンピュータまたはその他のプログラム可能なデータプロセシング装備が備えられるコンピュータによって利用可能または読取可能なメモリに格納されることも可能であるため、そのコンピュータによって利用可能または読取可能なメモリに格納されたインストラクションは、フローチャートブロックで説明する機能を行うインストラクション手段を含む製造品目の生産に用いることも可能である。
【００２０】
コンピュータプログラムインストラクションは、コンピュータまたはその他のプログラム可能なデータプロセシング装備上に搭載することも可能であるため、コンピュータまたはその他のプログラム可能なデータプロセシング装備上で一連の動作ステップが行われ、コンピュータで実行されるプロセスを生成して、コンピュータまたはその他のプログラム可能なデータプロセシング装備の機能を行うインストラクションはフローチャートブロックで説明する各ステップの機能を実行することも可能である。
【００２１】
また、各ブロックは、特定された論理的機能を実行するための１つ以上の実行可能なインストラクションを含むモジュール、セグメント、またはコードの一部を示すことができる。
また、複数の代替実行例ではブロックで言及された機能が順序から外れて行われることも可能であることに注目しなければならない。
【００２２】
例えば、連続して図示されている２つのブロックは、実質的に同時に行われることも可能で、またはそのブロックが時には該当機能により逆順に行われることも可能である。
【００２３】
以下、添付された図面を参照し、本発明の好ましい実施形態についてより詳細に説明する。
【００２４】
図１は、チルト動作によって一般的にイメージを鑑賞する過程を示す図面である。
チルト基盤のデジタル機器では、水平状態でデジタル機器を傾けるチルト動作により、ボタンを押す必要なく、リアルタイムでイメージを鑑賞することができる。
【００２５】
例えば、チルト基盤のデジタル機器に複数のイメージ１１０，１２０，１３０が存在し、ユーザが該当機器を左側方向に傾けた時、複数のイメージ１１０，１２０，１３０は左側方向に移動して、デジタル機器の画面ウインドウ１４０（以下、画面ウインドウという）に表示される。
【００２６】
勿論、ユーザが該当機器を左側方向に傾けた時、複数のイメージ１１０，１２０，１３０は右側方向に移動でき、ユーザのチルト動作方向とイメージの移動方向とは互いに一致するものに限定されない。
【００２７】
ユーザが現在鑑賞しているイメージを１１０とし、ユーザは次のイメージである１２０を鑑賞するために該当チルト基盤のデジタル機器を左側方向に傾けると仮定すれば、該当機器の画面ウインドウ１４０にリアルタイムで表示されるイメージは、１１０から１１５、そして１１５から１２０に移動する。
【００２８】
ここで、イメージ１１５はユーザのチルト動作によってイメージ１１０からイメージ１２０に移動する過程を示すイメージ、すなわちイメージ１１０の一部分とイメージ１２０の一部分であり、表示した矢印１５０は次のステップに進行することを示す。
【００２９】
この時、ユーザは見ようとするイメージ１２０が画面ウインドウ１４０の中央に位置すれば、チルト動作を中止して該当機器を水平に維持し、画面ウインドウ１４０の中央にイメージを固定させた後、該当イメージ１２０を鑑賞する。
【００３０】
参考に、画面ウインドウ１４０の中央にイメージ１２０を固定させるということは、画面ウインドウの中心１４１とユーザが見ようとするイメージの中心１２１とを互いに近づかせたり一致させたりすることを意味し、画面ウインドウの中心１４１とイメージの中心１２１とはユーザに実際には見えないが、一般的にチルト基盤のデジタル機器では、画面ウインドウ１４０にイメージ１２０の全体が表示されるように水平に維持する場合、画面ウインドウの中心１４１とイメージの中心１２１とが互いに近づいたり互いに一致したりすることができる。
このようなイメージ鑑賞方法ではユーザに微細なチルト動作が要求される。
【００３１】
図２Ａ〜図２Ｃは、チルト動作によって一般的にイメージを鑑賞する時のチルト操作の分析を示す図面である。
説明の便宜上、チルト基盤のデジタル機器に複数のイメージ２１０，２２０，２３０が存在し、複数のイメージは各々第１イメージ２１０、第２イメージ２２０、第３イメージ２３０と称し、各イメージの中心は図面にて小さいドット２１１，２１２，２１３で表わす。
【００３２】
また、チルト基盤のデジタル機器における画面ウインドウ２４０の中心は図面にて点線２４１で表わし、ユーザは現在、第１イメージを鑑賞中であり、次のイメージの第２イメージを鑑賞しようとすると仮定する。
【００３３】
図２Ａは、従来のチルト動作を行う時に生じる問題点を説明するための図面である。
ユーザは、第１イメージ２１０を鑑賞した後、次のイメージの第２イメージ２２０を鑑賞するためにチルト動作によってイメージを移動させる。
【００３４】
この時、微細にチルト動作を調整しなければ、ユーザが鑑賞しようとする第２イメージ２２０の中心２２１と画面ウインドウの中心とを一致させることができず、第２イメージ２２０の中心２２１を過ぎて、第３イメージ２３０の中心２３１のところで停止する場合が生じ得る。
【００３５】
すなわち、次のイメージへの移動のためのチルト動作を行う時、前記移動のためのイメージの次のイメージに移動する場合が生じるが、これを「オーバーシュート」という。
【００３６】
図２Ｂは、従来のチルト動作を行う時に生じる他の問題点を説明するための図面であり、以下では各ステップ別に説明する。
【００３７】
第１イメージ２１０を鑑賞（Ｓ２０１）していたユーザは、第２イメージ２２０を鑑賞するためにチルト動作を行い（Ｓ２０２）、デジタル機器の画面ウインドウ２４０には第１イメージ２１０から第２イメージ２２０に移動する過程が表示される（Ｓ２０３）。
【００３８】
ユーザは、画面ウインドウ２４０に第２イメージ２２０の一部分が表示されるのを見て、第２イメージ２２０を画面ウインドウ２４０の中心２４１に位置させるために、すなわち第２イメージ２２０の中心２２１を画面ウインドウ２４０の中心２４１に一致させるために、チルト動作を行い続ける（Ｓ２０４）。
【００３９】
この時、微細にチルト動作を調整しなければ、図２Ａで説明したオーバーシュートが生じたり、第２イメージ２２０の一部分と第３イメージ２３０の一部分とが画面ウインドウ２４０に表示される現象が生じる（Ｓ２０５）。
ユーザは、オーバーシュートおよびイメージの一部分が表示される現象を防ぐために、最初のチルト動作方向の逆方向に再びチルト動作を行い（Ｓ２０６）、所望するイメージが画面の中央に位置するまで上述したチルト動作を繰り返し行うが、これを「揺らぎ（Ｆｌｕｃｔｕａｔｉｏｎ）現象」という。
【００４０】
揺らぎ現象の後、ユーザは第２イメージ２２０の中心２２１を画面ウインドウの中心２４０に一致させて第２イメージ２２０を鑑賞する（Ｓ２０７）。
【００４１】
図２Ｃは、従来のチルト動作を行う時に生じるまた他の問題点を説明するための図面である。
第１イメージ２１０を鑑賞していたユーザが第２イメージ２２０を鑑賞するためにチルト動作を行い、チルト動作によるイメージの移動中にユーザがチルト動作を中止してデジタル機器を水平に維持した後にイメージを鑑賞しようとする時、イメージの一部分だけが表示される場合があるが、これを「部分提示（Ｐａｒｔｉａｌ  Ｐｒｅｓｅｎｔａｔｉｏｎ）現象」という。
部分提示現象が発生すれば、ユーザは最初のチルト動作方向の逆方向に再びチルト動作を行い、この時揺らぎ現象が現れる。
【００４２】
図３は、図２Ａ〜図２Ｃに示された分析内容をグラフで示す図面である。
図２で説明したように、チルト動作によるイメージまたはテキスト文書のようなリストを鑑賞する時に生じる問題点を、時間およびイメージ中心との関係によって示せば図３のようなグラフになる。
【００４３】
このグラフでＸ軸は時間の流れを示し、Ｙ軸はイメージをリストで配列した場合、イメージの中心およびイメージ中心間の距離を示す。
この時、ユーザは現在第１イメージ２１０を鑑賞しており、第２イメージ２２０を鑑賞するためにチルト動作を行うと仮定する。
【００４４】
３０１区間は、現在ユーザが第１イメージ２１０を鑑賞する区間で、「安定領域」と定義し、３０２区間は、ユーザが次のイメージである第２イメージ２２０を鑑賞するためにチルト動作によってイメージを移動させる区間で、「移動領域」と定義する。
【００４５】
３０３区間はユーザの意図通りにならず第３イメージ２３０に移動して画面に第３イメージ２３０が表示されるオーバーシュート区間であり、３０４区間は第２イメージ２２０に戻るためのユーザの繰り返し行われるチルト動作、すなわち揺らぎ現象区間を示す。
【００４６】
３０５区間は、揺らぎ現象の後、第２イメージ２２０が画面の中央に位置する区間で、３０１区間のように安定領域になる。
チルト動作によって一般的にイメージを鑑賞する時、上述したような様々な問題点が生じ得、本発明ではこのような問題点を解決できる装置および方法を提案する。
【００４７】
図４は、本発明の実施形態に係る画面上のリスト移動のための装置の構成を示すブロック図である。
【００４８】
画面上のリスト移動のための装置４００は、デジタル機器の現在のチルト角を計算するチルト角計算モジュール４０１と、デジタル機器の画面の中心に対するイメージ中心の移動に応じて、イメージの進行方向に加速度を与える中心向け加速度制御モジュール４０２と、与えられた加速度に対応する抵抗を計算してイメージに与える運動抵抗制御モジュール４０３と、入力された現在のチルト角、加速度値、および抵抗値のうち少なくとも１つ以上の値に基づき、画面に表示されるイメージの移動速度およびイメージ中心の移動位置を計算して更新する画面移動パラメータ制御モジュール４０４と、計算したイメージ中心の移動位置が所定領域内に存在するか否かを判断して、イメージの移動を制御する画面座標制御モジュール４０５とを含む。
【００４９】
本発明の実施形態で用いられる「モジュール」という用語は、ソフトウェアまたはＦＰＧＡまたはＡＳＩＣのようなハードウェア構成要素を意味し、モジュールはある役割を行う。
ところが、モジュールは、ソフトウェアまたはハードウェアに限定される意味ではない。
モジュールは、アドレッシングできる格納媒体にあるように構成することもでき、１つまたはそれ以上のプロセッサを再生させるように構成することもできる。
【００５０】
したがって、一例としてモジュールはソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。
【００５１】
構成要素とモジュールの中で提供されている機能は、さらに小さい数の構成要素およびモジュールに結合したり、追加的な構成要素とモジュールにさらに分離したりすることができる。
図４に示す装置４００のうちのチルト角計算モジュール４０１は、デジタル機器の現在のチルト角を計算する。
【００５２】
チルト角計算モジュール４０１は、３軸の加速度センサモジュールを含むことができ、３軸の加速度センサで測定される重力成分間の比率を計算し、上下方向のピッチ角と左右方向のロール角とを計算して、デジタル機器の現在のチルト角を計算することができる。
【００５３】
Ｘ，Ｙ，Ｚ軸で感知される加速度値をそれぞれ
【００５４】
【数１】
2008097615.tif 000003
とするとき、計算される計算されるピッチ角とロール角は一般式（１）の通りである。
【００５５】
【数２】
2008097615.tif 000004
中心向け加速度制御モジュール４０２は、デジタル機器画面の中心に対するイメージ中心の移動に応じてイメージの進行方向に加速度を与える。
【００５６】
すなわち、イメージの中心が画面の中心に移動する場合はイメージの進行方向と同一の加速度をイメージに与え、イメージの中心が画面の中心から外れる場合はイメージの進行方向の逆方向の加速度をイメージに与えることによって、オーバーシュートの可能性を減らすことができる。
【００５７】
図５Ａ〜図５Ｂは、本発明の実施形態に係る中心向け加速度制御モジュールの作用をグラフで示す図面である。
【００５８】
ここで、Ｘ軸はリスト上のイメージの位置を示し、１、２のような整数値は第１イメージ２１０、第２イメージ２２０の中心位置を示し、Ｙ軸はイメージの位置に対する加速度を示す。
この時、イメージの中心は画面ウインドウの座標中心に一致すると仮定する。
また、各矢印５０３ａ、５０３ｂは、ユーザのチルト動作によるイメージの移動方向を各々示す。
【００５９】
図５Ａは、ユーザのチルト動作によってイメージが右側方向に移動する時、イメージの中心とイメージの中心に対する加速度の変化を示す図面である。
【００６０】
グラフで５０１ａ区間は、イメージの中心が画面の中心に近づく場合であって、中心向け加速度制御モジュール４０２がイメージに対する加速度をイメージの移動方向に与え、イメージの中心が画面の中心に収斂する時間を短縮させる。
【００６１】
５０２ａ区間は、イメージの中心が画面の中心から遠ざかる場合であって、中心向け加速度制御モジュール４０２がイメージの移動方向の逆方向にイメージに対する加速度を与えてイメージの移動速度を急激に減速させ、イメージの中心が画面の中心から外れる時間を延ばす。
【００６２】
図５Ｂは、ユーザのチルト動作によってイメージが左側方向に移動する時、イメージの中心とイメージ中心に対する加速度の変化を示す図面である。
【００６３】
グラフで５０１ｂ区間は、イメージの中心が画面の中心に近づく場合であり、図５Ａの５０１ａ区間の内容と同様である。
また、５０２ｂ区間は、イメージの中心が画面の中心から遠ざかる場合であり、図５Ａの５０２ａ区間の内容と同様である。
一方、運動抵抗制御モジュール４０３は、中心向け加速度制御モジュール４０２が与える加速度に対応する抵抗を計算してイメージに与える。
【００６４】
すなわち、イメージの中心が画面の中心に移動する場合は、中心向け加速度制御モジュール４０２が与えるイメージに対する加速度は順次減少して０に近くなるため、運動抵抗制御モジュール４０３はイメージに抵抗を与えず、イメージの中心が画面の中心から外れる場合は、その逆に抵抗を与えて、次のイメージに移動するためのユーザのコントロールの時間的な余裕を確保して揺らぎ現象の可能性を減らすことができる。
【００６５】
この時、イメージの中心が画面の中心から外れる場合、イメージの中心が前記画面の中心に移動する場合より相対的にさらに大きい抵抗値を与えるものであり、該当内容は図６Ａ〜図６Ｂに示している。
【００６６】
図６Ａ〜図６ＢのグラフでＸ軸はリスト上のイメージの位置を示し、Ｙ軸は運動抵抗制御モジュール４０３がイメージに与える抵抗値を示し、グラフで各点線６０４ａ、６０４ｂはイメージの中心を示す。
この時、イメージの中心は画面ウインドウの座標中心に一致すると仮定する。
また、各矢印６０５ａ、６０５ｂは、ユーザのチルト動作によるイメージの移動方向を各々示す。
【００６７】
図６Ａはユーザのチルト動作によってイメージが右側に移動する場合であり、イメージの中心が画面ウインドウ中心に近づく区間６０１ａでは、運動抵抗制御モジュール４０３がイメージに抵抗を与えない。
【００６８】
その後、イメージの中心が画面ウインドウの中心に一致する区間６０２ａで運動抵抗制御モジュール４０３は、抵抗を急激に増加させ、ユーザがイメージを鑑賞する間微細なチルト動作が発生してもイメージの揺らぎ現象の可能性を減らすことができる。
【００６９】
イメージの中心が画面ウインドウの中心から遠ざかる区間６０３ａで運動抵抗制御モジュール４０３は、６０２ａ区間での抵抗値を維持し、次のイメージに移動するためのユーザのコントロールの時間的な余裕を確保して、揺らぎ現象の可能性を減らすことができる。
【００７０】
図６Ｂはユーザのチルト動作によってイメージが左側に移動する場合であり、イメージの中心が画面ウインドウ中心に近づく区間６０１ｂ、イメージの中心が画面ウインドウの中心に一致する区間６０２ｂ、およびイメージの中心が画面ウインドウの中心から遠ざかる区間６０３ｂに対する説明は、図６Ａの６０１ａ、６０２ａ、６０３ａの区間の内容と同様である。
【００７１】
図６Ａ〜図６Ｂに示された２つのグラフのいずれも画面ウインドウの中心を基準にイメージの中心６０４ａ、６０４ｂが遠ざかる場合の抵抗値（６０３ａ、６０３ｂ区間）が、画面ウインドウの中心にイメージの中心が移動する場合の抵抗値（６０１ａ、６０１ｂ区間）より相対的に大きいことが分かる。
【００７２】
画面移動パラメータ制御モジュール４０４は、チルト角計算モジュール４０１が計算するデジタル機器の現在のチルト角、中心向け加速度制御モジュール４０２が計算する加速度値、および運動抵抗制御モジュール４０３が計算する抵抗値のうち少なくとも１つ以上の値に基づき、画面に表示されるイメージの移動速度およびイメージ中心の移動位置を計算して更新する。
【００７３】
この時、チルト角と加速度値とは抵抗値を適用して更新し、ユーザのチルト動作による加速度値はチルト角に比例する加速度を与えて更新する。
また、チルト角として、ロール、ピッチ、ヨー（Ｙａｗ）のうちいずれか１つの軸の値を選択することができる。
【００７４】
移動パラメータ制御モジュール４０４が計算する、時間ｔに対するイメージの位置、速度、加速度値は一般式（２）によって計算することができる。
【００７５】
【数３】
2008097615.tif 000005
この時、
【００７６】
【数４】
2008097615.tif 000006
は摩擦効果、すなわち抵抗値であり、
【００７７】
【数５】
2008097615.tif 000007
はユーザのチルト動作による加速度であり、
【００７８】
【数６】
2008097615.tif 000008
はイメージ中心方向の加速度である。
【００７９】
一方、画面座標制御モジュール４０５は、画面移動パラメータ制御モジュール４０４が計算したイメージ中心の移動位置が所定領域内に存在するか否かを判断して、イメージの移動を制御する。
【００８０】
画面移動パラメータ制御モジュール４０４が計算したイメージ中心の移動位置が所定領域内に存在する場合は、画面座標制御モジュール４０５はイメージの中心を画面の中心に固定し、計算したイメージ中心の移動位置が所定領域内に存在しない場合は、画面座標制御モジュール４０５はリアルタイムでイメージの位置を画面に出力する。
【００８１】
ここで、所定領域とは、パラメータ上の画面の位置と実際に出力される画面の位置とを分離した領域のことを意味し、所定領域は「安定領域」と「移動領域」に区分するが、画面ウインドウの中心を基準として所定の領域内にイメージの中心が位置すればイメージを固定させ、ユーザがイメージを鑑賞する時の揺れを取り除くようにする領域を「安定領域」といい、イメージの移動中上述した安定領域を除いた他の領域を「移動領域」という。
【００８２】
画面座標制御モジュール４０５は、移動領域においてリアルタイムでイメージの位置を表示し、イメージが移動する効果を示してユーザにフィードバックするが、ユーザのチルト動作によってイメージの中心が安定領域から外れて移動領域に入れば、画面座標制御モジュール４０５は、振動によるフィードバックでユーザにイメージが移動していることを知らせられる。
【００８３】
参考に、上述した振動以外にも多様な効果音によってユーザにフィードバックできるため、フィードバック方法を振動だけに限定しない。
【００８４】
この時、画面座標制御モジュール４０５は、イメージの中心が移動領域から安定領域に入る時、ユーザに振動によってフィードバックし、イメージを鑑賞できる状態であることを知らせられる。
【００８５】
したがって、画面座標制御モジュール４０５がユーザに提供する振動によるフィードバックの発生時点は、ユーザのチルト動作によってイメージの中心が安定領域から外れて移動領域に入る場合だけに限定されず、当業者の実施形態によって振動によるフィードバックの発生時点が変更可能であることは明らかである。
【００８６】
本発明の実施形態では、イメージの中心が移動領域から安定領域に入る時、振動によってユーザにフィードバックする場合を説明する。
【００８７】
画面座標制御モジュール４０５で安定領域と移動領域とを区分することにより、イメージ鑑賞のためにチルト動作によってイメージを移動する時、画面ウインドウにイメージ全体が表示される時間を延ばせ、イメージ移動時に生じる部分的にイメージが表示される時間を短縮することによって部分提示現象を減らすことができる。
【００８８】
図７は、本発明の実施形態に係る画面座標制御モジュールの作用を示す図面である。
このグラフでＸ軸は時間の流れを示し、Ｙ軸はイメージをリストで配列した場合のイメージの中心および各イメージの中心間の距離を示し、各イメージの中心を基準に安定領域７０６と移動領域７０７とが表示されている。
【００８９】
この時、ユーザは現在第１イメージ７１０を鑑賞しており、第２イメージ７２０を鑑賞するためにチルト動作を行うと仮定する。
【００９０】
７０１区間は、ユーザが第１イメージ７１０を鑑賞する区間であり、イメージの中心が画面ウインドウの中心に固定してイメージの移動がなく、安定領域７０６内に存在する。
【００９１】
７０２区間は、ユーザの微細なチルト動作が発生する区間であり、この区間７０２は、ユーザの誤動作による微細なチルト動作でもあり得、次のイメージの第２イメージ７２０に移動するためのチルト動作の開始でもあり得る。
【００９２】
上述したような微細なチルト動作が図７に示すように安定領域７０６内で行われる場合、画面座標制御モジュール４０５は、ユーザが現在鑑賞している第１イメージ７１０を画面ウインドウの中心から外れないようにする。
【００９３】
７０３区間は、上述した７０２区間でさらに大きいチルト動作、すなわちデジタル機器を更に傾けて、第１イメージ７１０から第２イメージ７２０に移動する状態である。
【００９４】
７０３区間は安定領域から外れた移動領域７０７であるため、画面座標制御モジュール４０５は、リアルタイムで第１イメージ７１０から第２イメージ７２０に移動する過程を画面に出力する。
すなわち、７０３区間は、ユーザがイメージの移動の様子をリアルタイムで見ることのできる区間である。
【００９５】
７０４区間は、第２イメージ７２０の中心が画面ウインドウの中心に近づいた状態を示す区間であり、安定領域７０６に含まれる。
【００９６】
この時、画面座標制御モジュール４０５は、第２イメージ７２０の中心を画面の中心に迅速に固定し、ユーザが第２イメージ７２０を鑑賞することができるようにする。
７０５区間はユーザが第２イメージ７２０を鑑賞する区間を示す。
【００９７】
参考に、図７に示すグラフと図３に示すグラフとを比較すると、オーバーシュートおよび揺らぎ現象がなく、安定してイメージを連続鑑賞できることが分かる。
【００９８】
図８は本発明の他の実施形態による画面上のリスト移動のための装置の構成を図示したブロック図である。
画面上のリスト移動のための他の装置８００は現在チルト角を計算するチルト角計算モジュール８０１、入力されたチルト角によって速度を計算しイメージに付与するチルト基盤速度制御モジュール８０２、イメージの中心位置に応じてデジタル機器画面の中心に対する中心収斂速度を計算しイメージに付与する中心収斂速度制御モジュール８０３、イメージの中心位置に応じて最大移動速度を計算し、イメージに付与する画面移動速度制御モジュール８０４、入力された前記チルト基盤速度、前記中心収斂速度、前記最大移動速度値に基づき画面に見える前記イメージの移動速度および前記イメージ中心の移動位置を計算し更新される画面移動パラメータ制御モジュール８０５および計算されたイメージ中心の移動位置を制御する画面座標制御モジュール８０６を含む。
【００９９】
図８に図示された装置８００のうちチルト角計算モジュール８０１は図４に図示された装置４００のチルト角計算モジュール４０１と同一であるため詳細な説明は省略する。
チルト基盤速度制御モジュール８０２は入力されたチルト角に応じて速度を計算しイメージに付与しチルト角が大きいほどイメージに付与する速度は大きくなる。
【０１００】
このとき時間ｔでのチルト角を
【０１０１】
【数７】
2008097615.tif 000009
チルト角での速度を
【０１０２】
【数８】
2008097615.tif 000010
とすれば、時間ｔでのチルト角に対する速度は
【０１０３】
【数９】
2008097615.tif 000011
として表し得る。
【０１０４】
参考として、チルト基盤速度の特性はチルト角が大きいほどこれに比例して増加するのが好ましく、本発明で使用したチルト基盤速度の例は次の数式と同様である。
【０１０５】
【数１０】
2008097615.tif 000012
中心収斂速度制御モジュール８０３は速度制御モジュール８０２で計算された速度
【０１０６】
【数１１】
2008097615.tif 000013
によって移動されたイメージの中心位置に応じてデジタル機器画面の中心に対する中心収斂速度を計算しイメージに付与する。
【０１０７】
ここで中心収斂速度は画面の中心にイメージの中心を一致させようとする速度を意味し、もしイメージの中心が画面の中心に移動すれば、中心収斂速度制御モジュール８０３はイメージの進行方向と同一な速度をイメージに付与し、イメージの中心が面の中心から外れる場合はイメージの進行方向と反対方向の速度をイメージに付与しイメージの中心を画面の中心と一致させようとする。
【０１０８】
したがって、中心収斂速度制御モジュール８０３はイメージの中心が画面の中心から外れる場合、イメージの中心が画面の中心に移動する場合より相対的にさらに大きい中心収斂速度を付与するようになる。
【０１０９】
このとき、時間ｔで画面の中心に対するイメージの中心位置を
【０１１０】
【数１２】
2008097615.tif 000014
イメージの中心位置に対する中心収斂速度を
【０１１１】
【数１３】
2008097615.tif 000015
とすれば、時間ｔで画面の中心に対するイメージ中心位置での中心収斂速度は
【０１１２】
【数１４】
2008097615.tif 000016
として表し得る。
参考として、中心収斂速度はｘ（ｔ）が中心から遠くなるほどその値が大きくなるのが好ましい。
画面移動速度制御モジュール８０４は画面中心とイメージの中心位置との距離に応じた最大移動速度を計算しイメージに付与する。
【０１１３】
図９は本発明の実施形態による画面移動速度制御モジュール８０４のイメージ移動速度制御をグラフで示した図である。
【０１１４】
Ｘ軸は時間の流れを表し、Ｙ軸は速度の変化を表し、画面移動速度モジュールでイメージの移動速度が所定の範囲９０１内に存在するように設定されたイメージの最大移動速度９０１ａと最小移動速度９０１ｂが表示されている。
【０１１５】
また、図９に図示された曲線９０２はチルト基盤速度制御モジュール８０２で計算されたチルト角に応じてイメージの速度と中心収斂速度制御モジュール８０３で計算された中心収斂速度の和を表す。
【０１１６】
もし、チルト角に応じた速度と中心収斂速度を加えた速度があまりに速く所定の範囲を外れれば、すなわちイメージの移動速度が所定の範囲の最大速度を超過すると（グラフでの９０２ａ区間）画面移動速度制御モジュール８０４は画面に見えるイメージの移動速度が所定の範囲を外れないように制御する（グラフでの９０２ｂ区間）ことによって過度のチルト角に応じたオーバーシュートを防止することができる。
【０１１７】
したがって、時間ｔでイメージの移動速度を
【０１１８】
【数１５】
2008097615.tif 000017
とすれば、
【０１１９】
【数１６】
2008097615.tif 000018
すなわち、チルト角による速度と中心収斂速度の和として表現されることができ、これは画面移動速度制御モジュール８０４によって所定範囲の移動速度として表現され得る。
【０１２０】
【数１７】
2008097615.tif 000019
画面移動パラメータ制御モジュール８０５は、速度制御モジュール８０２で計算されたチルト基盤速度、中心収斂速度モジュール８０３で計算された中心収斂速度、画面移動制御モジュール８０４で計算された最大移動速度に基づき、画面に見えるイメージの移動速度およびイメージ中心移動位置を計算して更新する。
【０１２１】
時間ｔでイメージ中心の位置を
【０１２２】
【数１８】
2008097615.tif 000020
画面移動パラメータ制御モジュール８０５によって時間の変化に応じて更新されるイメージの中心移動位置は
【０１２３】
【数１９】
2008097615.tif 000021
と表すことができ、一方、画面座標制御モジュール８０６は画面移動パラメータ制御モジュールで計算されたイメージの移動位置が所定領域内に存在するのか判断しイメージの移動を制御する。
【０１２４】
画面座標制御モジュール８０６は図４に図示された装置４００の画面移動パラメータ制御モジュールと同一であるため詳細な説明は省略する。
【０１２５】
図１０は本発明の実施形態によるチルト動作による連続したイメージ鑑賞のステップを図示したフローチャートである。
ユーザのチルト動作がなされると、チルト角計算モジュール４０１は３軸加速度センサで測定される重力成分間の比率を計算してピッチ角とロール角を計算し現在チルト角を計算する（Ｓ１００１）。
【０１２６】
Ｓ１００１後、中心向け加速度制御モジュール４０２はデジタル機器画面の中心に対するイメージ中心（Ｃｅｎｔｅｒ  ｏｆ  ｉｍａｇｅ）の移動によってイメージの進行方法に加速度を計算し付与する（Ｓ１００２）。
【０１２７】
すなわち中心向け加速度制御モジュール４０２はイメージ中心が画面の中心に移動する時、イメージの進行方向と同一な加速度をイメージに付与し、イメージの中心が画面の中心から外れた場合、イメージの進行方向と反対方向の加速度をイメージに付与することによってオーバーシュートの可能性を減ずることができる。
【０１２８】
Ｓ１００２後、運動抵抗制御モジュール４０３は中心向け加速度制御モジュール４０２で付与された加速度に対応する抵抗を計算し、イメージに付与する（Ｓ１００３）。
【０１２９】
すなわちイメージの中心が画面の中心に移動する場合、中心向け加速度制御モジュール４０２で付与するイメージに対する加速度は漸次減少し０に近くなるため、運動抵抗制御モジュール４０３はイメージに抵抗を付与せず、イメージの中心が画面の中心から外れる場合は、その反対に抵抗を付与し次のイメージに移動するためのユーザのコントロールの時間的余裕を確保し、振動現象の可能性を減らすことができる。
【０１３０】
Ｓ１００３後、画面移動パラメータ制御モジュール４０４はチルト角計算モジュール４０１で計算された現在のチルト角、中心向け加速度制御モジュール４０２で計算された加速度値および運動抵抗制御モジュール４０３で計算された抵抗値のうち少なくとも一つ以上の値に基づき画面に見えるイメージの移動速度およびイメージ中心の移動位置を計算し更新する（Ｓ１００４）。
【０１３１】
Ｓ１００４後、画面座標制御モジュール４０５は画面の中心を基準として現在イメージ中心の位置が安全領域なのかを判断する（Ｓ１００５）。
Ｓ１００５の結果、安全領域と判断されれば、画面座標制御モジュール４０５はイメージの中心を画面の中心に固定し表示する（Ｓ１００６）。
【０１３２】
この時画面座標制御モジュール４０５はユーザに振動でフィードバックし、イメージの中心が画面の中心に位置したことを知らせることができ、多様な効果音でユーザにフィードバックできるため、フィードバック方法が振動に限定されず当業者の実施例に応じて多様なフィードバック方法を使用できる。
【０１３３】
万一、Ｓ１００５の結果、安全領域でない移動領域と判断されれば画面座標制御モジュール４０５はイメージの位置をリアルタイムで更新し、表示することによって（Ｓ１００７）部分停止現象の可能性を減少することができる。
【０１３４】
参考として、ｓ１００６後、ユーザがチルト動作が継続されるとＳ１００１〜Ｓ１００７の過程を反復し得る。
【０１３５】
図１１は本発明による実施形態の他のチルト動作によった連続されたイメージ鑑賞のステップを図示したフローチャートである。
【０１３６】
ユーザのチルト動作がなされると、チルト角計算モジュール８０１は３軸加速度センサで測定される重力成分間の比率を計算しピッチ角とロール角を計算し現在チルト角を計算する（Ｓ１１０１）。
Ｓ１１０１後、チルト基盤速度制御モジュール８０２は計算されたチルト角による速度を計算しイメージに付与する（Ｓ１１０２）。
【０１３７】
Ｓ１１０２後、中心収斂速度制御モジュール８０３は計算された速度によって移動されるイメージの中心位置によって画面の中心に対する中心収斂速度を計算しイメージに付与する（Ｓ１１０３）。
【０１３８】
すなわち、イメージの中心が画面の中心に移動するとすれば、中心収斂速度モジュール８０３はイメージの進行方向と同一な速度をイメージに付与し、イメージの中心が画面の中心から外れる場合、イメージの進行方向と反対方向の速度をイメージに付与する。また中心収斂速度の大きさはイメージの中心と画面の中心との差異が大きいほどさらに大きな中心収斂速度を付与し、画面の中心に収斂する傾向を大きくする。
【０１３９】
Ｓ１１０３後、画面移動速度制御モジュール８０４は画面上のイメージの位置によるイメージの最大移動速度を計算しイメージに付与する（Ｓ１１０４）。
【０１４０】
万一、チルトによるイメージ速度があまりに速く所定の範囲を外れれば、すなわち、イメージの移動速度が所定範囲の最大速度を超過すれば移動速度制御モジュール８０４は画面に見えるイメージの移動速度が所定の範囲を外れないように制御することによって過度のチルト角によるオーバーシュートを防止することができる。
【０１４１】
Ｓ１１０４後、画面移動パラメータ制御モジュール８０５はチルト基盤速度制御モジュール８０２で計算されたチルト基盤速度、中心収斂速度制御モジュール８０３で計算された中心収斂速度およびイメージ中心位置に基づき、画面に見えるイメージの移動速度およびイメージ中心の位置を計算し更新する（Ｓ１１０５）。
【０１４２】
Ｓ１１０５後、画面座標制御モジュール８０６は画面の中心を基準として現在イメージ中心の位置が安全領域なのかを判断する（Ｓ１１０６）。
Ｓ１１０６の結果、安全領域と判断されれば、画面座標制御モジュール４０５制御モジュール８０６はイメージの中心を画面の中心に固定させ表示する（Ｓ１１０７）。
【０１４３】
この誤記画面座標制御モジュール８０６はユーザに振動でフィードバックしイメージの中心が画面の中心に位置することを知らせることができ、多様な効果音でユーザにフィードバックし得る。
このようなフィードバック方法は振動に限定されず当業者の実施例に応じて多様なフィードバック方法を使用し得る。
【０１４４】
万一、Ｓ１１０６の結果、安全領域ではない移動領域と判断されれば、画面座標制御モジュール８０６はイメージの位置をリアルタイムで更新し表示することによって（Ｓ１１０８）部分停止現象の可能性を減少させることができる。
参考として、Ｓ１１０７後、ユーザのチルト動作が継続されればＳ１１０１〜Ｓ１１０８の過程を反復し得る。
【０１４５】
以上、添付された図面を参照し、本発明の実施形態を説明したが、本発明が属する技術分野で通常の知識を有する者は本発明がその技術的思想や必須的な特徴を変更せずとも他の具体的な形態で実施し得ることを理解し得るはずである。そのため、以上で記述した実施形態はすべての面で例示的なものであり、限定的でないものと理解しなければならない。
【図面の簡単な説明】
【０１４６】
【図１】チルト動作によって一般的にイメージを鑑賞する過程を示す図である。
【図２Ａ】チルト動作によって一般的にイメージを鑑賞する時のチルト操作の分析を示す図である。
【図２Ｂ】チルト動作によって一般的にイメージを鑑賞する時のチルト操作の分析を示す図である。
【図２Ｃ】チルト動作によって一般的にイメージを鑑賞する時のチルト操作の分析を示す図である。
【図３】図２Ａ〜図２Ｃに示された分析内容をグラフで示す図である。
【図４】本発明の実施形態に係る画面上のリスト移動のための装置の構成を示すブロック図である。
【図５Ａ】本発明の実施形態に係る中心向け加速度制御モジュールの作用をグラフで示す図である。
【図５Ｂ】本発明の実施形態に係る中心向け加速度制御モジュールの作用をグラフで示す図である。
【図６Ａ】本発明の実施形態に係る運動抵抗制御モジュールの作用を示す図である。
【図６Ｂ】本発明の実施形態に係る運動抵抗制御モジュールの作用を示す図である。
【図７】本発明の実施形態に係る画面座標制御モジュールの作用を示す図である。
【図８】本発明の実施形態に係るチルト作動による、連続するイメージを鑑賞するステップを示すフローチャートである。
【図９】本発明の実施形態による画面移動速度制御モジュール８０４のイメージ移動速度制御をグラフで示した図である。
【図１０】本発明の実施形態によるチルト動作による連続したイメージ鑑賞のステップを図示したフローチャートである。
【図１１】本発明による実施形態の他のチルト動作によった連続されたイメージ鑑賞のステップを図示したフローチャートである。
【符号の説明】
【０１４７】
４０１    チルト角計算モジュール
４０２    中心向け加速度制御モジュール
４０３    運動抵抗制御モジュール
４０４    画面移動パラメータ制御モジュール
４０５    画面座標制御モジュール
【図３】
2008097615.tif 000022
【図４】
2008097615.tif 000023
【図５Ａ】
2008097615.tif 000024
【図５Ｂ】
2008097615.tif 000025
【図６Ａ】
2008097615.tif 000026
【図６Ｂ】
2008097615.tif 000027
【図７】
2008097615.tif 000028
【図８】
2008097615.tif 000029
【図９】
2008097615.tif 000030
【図１０】
2008097615.tif 000031
【図１１】
2008097615.tif 000032
【図１】
2008097615.tif 000033
【図２Ａ】
2008097615.tif 000034
【図２Ｂ】
2008097615.tif 000035
【図２Ｃ】
2008097615.tif 000036